(57)【要約】【課題】誰でも、どこでも簡易に今だけ、ここだけ等の付加価値を有する情報を利用者にリアルタイムで配信することができる情報配信システム等を提供すること。【解決手段】携帯電話機１０は、情報配信対象のエリア情報と少なくとも指定配信時刻情報を含む配信データとを管理サーバ２０に送信し、管理サーバ２０は、指定配信時刻情報に基づいて発信枠を取得させ、エリア情報に基づいて基地局４０のエリア内に存在する携帯電話機３０を捕捉し配信データを配信し、携帯電話機３０は配信データを表示する。【選択図】図１
2010186245.tif 000002
【特許請求の範囲】
【請求項１】
情報発信側の通信装置と、管理サーバと、情報受信側の通信装置と、該情報受信側の通信装置の基地局とからなる情報配信システムにおいて、
前記情報発信側の通信装置は、ユーザの入力操作に応じたデータを取得する入力手段および該入力手段から取得した情報配信対象のエリア情報と少なくとも指定配信時刻情報を含む配信データとを前記管理サーバに送信する通信手段を備え、
前記管理サーバは、前記情報発信側の通信装置から前記配信データを受け取ると、前記指定配信時刻情報に基づいて前記情報発信側の通信装置に発信枠を取得させる手段と、前記情報配信対象のエリア情報に基づいて前記基地局のエリア内に存在する前記情報受信側の通信装置を捕捉する手段と、捕捉した該情報受信側の通信装置に対して、前記情報発信側の通信装置から受け取った前記配信データを配信する手段とを備え、
前記情報受信側の通信装置は、前記管理サーバから配信された前記配信データを表示する表示手段を備えることを特徴とする情報配信システム。
【請求項２】
前記発信枠を取得させる手段は、予め前記情報発信側の通信装置に発信枠を取得させ、前記情報発信側の通信装置から前記データを受け取ると前記情報発信側の通信装置が予め発信枠を取得済みの通信装置であるか否かを判定し、予め発信枠を取得済みの通信装置である場合にのみ、前記データを配信することを特徴とする請求項１記載の情報配信システム。
【請求項３】
前記配信データには、前記情報発信側の通信装置の送信時の位置情報を含むことを特徴とする請求項１または２記載の情報配信システム。
【請求項４】
前記管理サーバは、配信データ量および配信時刻に基づいてシステムの利用料金を算出する手段をさらに備えることを特徴とする請求項１から３のいずれか１項に記載の情報配信システム。
【請求項５】
前記情報受信側の通信装置は、前記管理サーバに情報配信を要求する手段を備え、
前記管理サーバは、前記情報受信側の通信装置の位置情報に基づいて前記情報配信対象のエリア情報とマッチングを行い、マッチする前記配信データに前記情報受信側の通信装置をアクセスさせることを特徴とする請求項１から４のいずれか１項に記載の情報配信システム。
【請求項６】
情報発信側の通信装置と、情報受信側の通信装置とからなる情報配信システムにおいて、
前記情報発信側の通信装置は、ユーザの入力操作に応じたデータを取得する入力手段と、該データを自装置の通信可能エリアに存在する前記情報受信側の通信装置に送信する通信手段とを備え、
前記情報受信側の通信装置は、前記情報発信側の通信装置から配信された前記データを表示する表示手段を備えることを特徴とする情報配信システム。
【請求項７】
ユーザの入力操作に応じたデータを取得入力手段および該入力手段から取得した情報配信対象のエリア情報と少なくとも指定配信時刻情報を含む配信データとを管理サーバに送信する通信手段とを備えることを特徴とする通信装置。
【請求項８】
前記管理サーバに対して情報配信のための発信枠を予め取得することを特徴とする請求項７記載の通信装置。
【請求項９】
前記配信データには、送信時の位置情報を含むことを特徴とする請求項７または８記載の通信装置。
【請求項１０】
ユーザの入力操作に応じたデータを取得する入力手段と、該データを自装置の通信可能エリアに存在する情報受信側の通信装置に送信する通信手段とを備えることを特徴とする通信装置。
【請求項１１】
情報発信側の通信装置から情報配信対象のエリア情報と少なくとも指定配信時刻情報を含む配信データとを受け取ると、前記指定配信時刻情報に基づいて前記情報発信側の通信装置に発信枠を取得させる手段と、前記情報配信対象のエリア情報に基づいて基地局のエリア内に存在する情報受信側の通信装置を捕捉する手段と、捕捉した該情報受信側の通信装置に対して、前記情報発信側の通信装置から受け取った前記配信データを配信する手段とを備えることを特徴とする管理サーバ。
【請求項１２】
前記発信枠を取得させる手段は、予め前記情報発信側の通信装置に発信枠を取得させ、前記情報発信側の通信装置から前記データを受け取ると前記情報発信側の通信装置が予め発信枠を取得済みの通信装置であるか否かを判定し、予め発信枠を取得済みの通信装置である場合にのみ、前記データを配信することを特徴とする請求項１１記載の管理サーバ。
【請求項１３】
前記配信データには、前記情報発信側の通信装置の送信時の位置情報を含むことを特徴とする請求項１１または１２記載の管理サーバ。
【請求項１４】
配信データ量および配信時刻に基づいてシステムの利用料金を算出する手段をさらに備えることを特徴とする請求項１１から１３のいずれか１項に記載の管理サーバ。
【請求項１５】
情報発信側の通信装置と、管理サーバと、情報受信側の通信装置と、該情報受信側の通信装置の基地局とを利用した情報配信方法において、
前記情報発信側の通信装置が、ユーザの入力操作に応じたデータを取得するステップと、取得した情報配信対象のエリア情報と少なくとも指定配信時刻情報を含む配信データとを前記管理サーバに送信するステップとを有し、
前記管理サーバが、前記情報発信側の通信装置から前記配信データを受け取ると、前記指定配信時刻情報に基づいて前記情報発信側の通信装置に発信枠を取得させるステップと、前記情報配信対象のエリア情報に基づいて前記基地局のエリア内に存在する前記情報受信側の通信装置を捕捉するステップと、捕捉した該情報受信側の通信装置に対して、前記情報発信側の通信装置から受け取った前記配信データを配信するステップとを有し、
前記情報受信側の通信装置が、前記管理サーバから配信された前記配信データを表示するステップを有することを特徴とする情報配信方法。
【請求項１６】
予め前記情報発信側の通信装置に発信枠を取得させるステップを有し、前記情報発信側の通信装置から前記データを受け取ると前記情報発信側の通信装置が予め発信枠を取得済みの通信装置であるか否かを判定し、予め発信枠を取得済みの通信装置である場合にのみ、前記データを配信することを特徴とする請求項１５記載の情報配信方法。
【請求項１７】
前記配信データには、前記情報発信側の通信装置の送信時の位置情報を含むことを特徴とする請求項１５または１６記載の情報配信方法。
【請求項１８】
前記管理サーバが、配信データ量および配信時刻に基づいてシステムの利用料金を算出するステップをさらに有することを特徴とする請求項１５から１７のいずれか１項に記載の情報配信方法。
【請求項１９】
前記情報受信側の通信装置が、前記管理サーバに情報配信を要求するステップを有し、
前記管理サーバが、前記情報受信側の通信装置の位置情報に基づいて前記情報配信対象のエリア情報とマッチングを行い、マッチする前記配信データに前記情報受信側の通信装置をアクセスさせるステップを有することを特徴とする請求項１５から１８のいずれか１項に記載の情報配信方法。
【請求項２０】
情報発信側の通信装置と、情報受信側の通信装置とからなる情報配信方法において、
前記情報発信側の通信装置が、ユーザの入力操作に応じたデータを取得するステップと、該データを自装置の通信可能エリアに存在する前記情報受信側の通信装置に送信するステップとを有し、
前記情報受信側の通信装置が、前記情報発信側の通信装置から配信された前記データを表示するステップを有することを特徴とする情報配信方法。
【請求項２１】
コンピュータに、ユーザの入力操作に応じたデータを取得する処理と、取得した情報配信対象のエリア情報と少なくとも指定配信時刻情報を含む配信データとを他の装置に送信する処理とを実行させることを特徴とするプログラム。
【請求項２２】
コンピュータに、情報発信側の通信装置から情報配信対象のエリア情報と少なくとも指定配信時刻情報を含む配信データとを受け取る処理と、前記指定配信時刻情報に基づいて前記情報発信側の通信装置に発信枠を取得させる処理と、前記情報配信対象のエリア情報に基づいて基地局のエリア内に存在する情報受信側の通信装置を捕捉する処理と、捕捉した該情報受信側の通信装置に対して、前記情報発信側の通信装置から受け取った前記配信データを配信する処理とを実行させることを特徴とするプログラム。
【発明の詳細な説明】
【技術分野】
【０００１】
本発明は、誰でも、どこでも簡易に今だけ、ここだけ等の付加価値を有する情報を配信する技術に関する。
【背景技術】
【０００２】
今日では、いわゆるフリーペーパ・フリーマガジンやチラシにより飲食店やその他のサービス提供店舗のおすすめ情報等がフリーペーパ・フリーマガジンやチラシの読者に提供されている。
【０００３】
一方、消費者側では街中を通行中に、その道沿いの商店の状況、例えば、看板により夕方の特売タイムサービスの情報を発信していること等を確認することはできるが、道路を一本ずれるだけで他所で生起している事象を把握できないことも多い。
【０００４】
関連技術として、特定のエリアに位置する携帯電話端末に対し、その利用者が興味を持つであろう広告を、選択的に配信することにより、低コストでありながら、即時性を求める広告を効果的に行なう技術が提案されている。その構成は、配信用サーバは、位置検出用サーバにＧＰＳ受信機機能を備えた携帯電話端末の位置情報を収集させ、その位置情報に基づいて特定のエリアに位置する携帯電話端末を特定する。さらに、配信用サーバは、特定した携帯電話端末の使用者に関する情報をデータベースから得て、広告メッセージの配信を行なうか決定し、選択的に広告メッセージの配信を行なう（例えば、特許文献１参照）。
【先行技術文献】
【特許文献】
【０００５】
【特許文献１】特開２００１−３５９１６６号公報
【発明の概要】
【発明が解決しようとする課題】
【０００６】
しかしながら、上述の関連技術では、誰でも、どこでも簡易に今だけ、ここだけ等の付加価値を有する情報を利用者にリアルタイムで配信することが困難であった。
【０００７】
本発明は、以上のような課題を解決するためになされたもので、誰でも、どこでも簡易に今だけ、ここだけ等の付加価値を有する情報を利用者にリアルタイムで配信することができる情報配信システム、通信装置、管理サーバ、情報配信方法およびプログラムを提供することを目的とする。
【課題を解決するための手段】
【０００８】
本発明の第一の情報配信システムは、情報発信側の通信装置と、管理サーバと、情報受信側の通信装置と、該情報受信側の通信装置の基地局とからなる情報配信システムにおいて、
前記情報発信側の通信装置は、ユーザの入力操作に応じたデータを取得する入力手段および該入力手段から取得した情報配信対象のエリア情報と少なくとも指定配信時刻情報を含む配信データとを前記管理サーバに送信する通信手段を備え、
前記管理サーバは、前記情報発信側の通信装置から前記配信データを受け取ると、前記指定配信時刻情報に基づいて前記情報発信側の通信装置に発信枠を取得させる手段と、前記情報配信対象のエリア情報に基づいて前記基地局のエリア内に存在する前記情報受信側の通信装置を捕捉する手段と、捕捉した該情報受信側の通信装置に対して、前記情報発信側の通信装置から受け取った前記配信データを配信する手段とを備え、
前記情報受信側の通信装置は、前記管理サーバから配信された前記配信データを表示する表示手段を備えることを特徴とする。
【０００９】
また、本発明の第二の情報配信システムは、情報発信側の通信装置と、情報受信側の通信装置とからなる情報配信システムにおいて、
前記情報発信側の通信装置は、ユーザの入力操作に応じたデータを取得する入力手段と、該データを自装置の通信可能エリアに存在する前記情報受信側の通信装置に送信する通信手段とを備え、
前記情報受信側の通信装置は、前記情報発信側の通信装置から配信された前記データを表示する表示手段を備えることを特徴とする。
【００１０】
本発明の第一の通信装置は、ユーザの入力操作に応じたデータを取得入力手段および該入力手段から取得した情報配信対象のエリア情報と少なくとも指定配信時刻情報を含む配信データとを管理サーバに送信する通信手段とを備えることを特徴とする。
【００１１】
また、本発明の第二の通信装置は、ユーザの入力操作に応じたデータを取得する入力手段と、該入力手段から取得した少なくとも情報配信対象のエリア情報および発信時刻情報を含む配信データを情報受信側の通信装置に送信する通信手段とを備えることを特徴とする。
【００１２】
本発明の管理サーバは、情報発信側の通信装置から情報配信対象のエリア情報と少なくとも指定配信時刻情報を含む配信データとを受け取ると、前記指定配信時刻情報に基づいて前記情報発信側の通信装置に発信枠を取得させる手段と、前記情報配信対象のエリア情報に基づいて基地局のエリア内に存在する情報受信側の通信装置を捕捉する手段と、捕捉した該情報受信側の通信装置に対して、前記情報発信側の通信装置から受け取った前記配信データを配信する手段とを備えることを特徴とする。
【００１３】
本発明の第一の情報配信方法は、情報発信側の通信装置と、管理サーバと、情報受信側の通信装置と、該情報受信側の通信装置の基地局とを利用した情報配信方法において、
前記情報発信側の通信装置が、ユーザの入力操作に応じたデータを取得するステップと、取得した情報配信対象のエリア情報と少なくとも指定配信時刻情報を含む配信データとを前記管理サーバに送信するステップとを有し、
前記管理サーバが、前記情報発信側の通信装置から前記配信データを受け取ると、前記指定配信時刻情報に基づいて前記情報発信側の通信装置に発信枠を取得させるステップと、前記情報配信対象のエリア情報に基づいて前記基地局のエリア内に存在する前記情報受信側の通信装置を捕捉するステップと、捕捉した該情報受信側の通信装置に対して、前記情報発信側の通信装置から受け取った前記配信データを配信するステップとを有し、
前記情報受信側の通信装置が、前記管理サーバから配信された前記配信データを表示するステップを有することを特徴とする。
【００１４】
また、本発明の第二の情報配信方法は、情報発信側の通信装置と、情報受信側の通信装置とからなる情報配信方法において、
前記情報発信側の通信装置が、ユーザの入力操作に応じたデータを取得するステップと、該データを自装置の通信可能エリアに存在する前記情報受信側の通信装置に送信するステップとを有し、
前記情報受信側の通信装置が、前記情報発信側の通信装置から配信された前記データを表示するステップを有することを特徴とする。
【００１５】
また、本発明の第一のプログラムは、コンピュータに、ユーザの入力操作に応じたデータを取得する処理と、取得した情報配信対象のエリア情報と少なくとも指定配信時刻情報を含む配信データとを他の装置に送信する処理とを実行させることを特徴とする。
【００１６】
また、本発明の第二のプログラムは、コンピュータに、情報発信側の通信装置から情報配信対象のエリア情報と少なくとも指定配信時刻情報を含む配信データとを受け取る処理と、前記指定配信時刻情報に基づいて前記情報発信側の通信装置に発信枠を取得させる処理と、前記情報配信対象のエリア情報に基づいて基地局のエリア内に存在する情報受信側の通信装置を捕捉する処理と、捕捉した該情報受信側の通信装置に対して、前記情報発信側の通信装置から受け取った前記配信データを配信する処理とを実行させることを特徴とする。
【発明の効果】
【００１７】
本発明によれば、誰でも、どこでも簡易に今だけ、ここだけ等の付加価値を有する情報を利用者にリアルタイムで配信することができる。
【図面の簡単な説明】
【００１８】
【図１】本発明の第一の実施の形態に係るシステム構成を示す図である。
【図２】本発明の第一の実施の形態に係る情報配信側の携帯電話機の機能ブロック図である。
【図３】本発明の第一の実施の形態に係る管理サーバの機能ブロック図である。
【図４】本発明の第一の実施の形態に係る発信枠の割り付けの例を示す図である。
【図５】本発明の第一の実施の形態に係るシステムの全体の動作を示すフローチャートである。
【図６】本発明の第一の実施の形態に係るスタイルシートの表示画面の一例を示す図である。
【図７】本発明の第一の実施の形態に係る受信時の画面表示の一例を示す図である。
【図８】本発明の第一の実施の形態に係る詳細画面表示の一例を示す図である。
【図９】本発明の第二の実施の形態に係る詳細画面表示の一例を示す図である。
【図１０】本発明の第四の実施の形態に係るシステム構成を示す図である。
【発明を実施するための形態】
【００１９】
以下、本発明の第一の実施の形態について図面を参照して詳細に説明する。図１に示す本実施の形態における情報配信システム１は、情報の発信側が利用する通信装置としての携帯電話機１０と、管理サーバ２０と、情報の受け手側が利用する通信装置としての携帯電話機３０と、基地局４０とから構成されている。
【００２０】
携帯電話機１０は、情報の発信側が利用する通信装置である。なお、携帯電話機に限定されず、情報を発信可能な情報処理装置を広く含む。図２に示すように、少なくとも、ＣＰＵ等による中央制御部１１と、キー等により文字情報等を入力する入力部１２と、液晶ディスプレイ等による表示部１３と、カメラ機構による撮像部１４と、外部機器との通信部１５とを備える。その他の既知の携帯電話機の構成を備えていてもよい。
【００２１】
ここで、本実施の形態における情報配信システム１において情報の発信側が利用する通信装置として携帯電話機を用いる利点を説明する。
まず、どこでも操作可能である。すなわち屋内でも、屋外でも、散歩途中等の移動中でも、車両の中でも用いることができる。これによりリアルタイムでの配信可能性が高められる。
また誰でも操作可能である。すなわち複雑な電子機器の取り扱いに不慣れなユーザでも、身近に用いている携帯電話機であれば操作が簡易・手軽に行なえる。実質的には片手の親指のみでも操作が可能である。これによりリアルタイムでの配信可能性が高められる。
この点、他の複数の機器を使用する場合には、処理のための時間が相当必要となる。例えば、デジタルカメラで撮影して、その画像データをＰＣに取り込んで、プレビュー確認後に添付ファイルとして送信用ソフトに付加する作業が必要となる。
また、ストリーミングにより携帯電話機で撮像している周囲の動画を配信することもできる。
【００２２】
本システムの使用状況の一例を以下に示す。午後４時半に魚屋で販売している鮮魚が売れ残りそうなときに、即座に携帯電話機で鮮魚の写真を撮影して、値下げの旨の文章を付加して配信する。これにより、よりリアルタイムな情報発信が可能となり、魚屋で販売している鮮魚の鮮度を落とすことなく消費者に売ることができる。さらに、午後４時５０分に鮮魚が残り１匹となったときには原価無視の破格の売り切り価格、例えば５０円等で販売する旨の情報を再度配信することであってもよい。このように配信は複数回実施されてもよい。
別の使用状況例として、駅近くの飲み屋の宣伝に際して、駅では午後６時頃に人が電車の乗り降りのために集まってくるので、それらの人々に対して、「空席あります」、「只今飲み放題実施中」などの宣伝情報を配信する。いわばリアルタイムのチラシとして機能する。
別の使用状況例として、小学校等の教育機関等で、児童の下校開始に伴い、親御さんに対して、その旨をその他の連絡事項等を付加して通知する。
別の使用状況例として、今、小学校の裏の川で芋煮会やっているので参加者募集中の旨を、近くを散策している人に対して、コミュニティ情報として発信する。
さらに、生活に便利な情報や生活者が得する情報等を生活者の視点で配信すべく、小売、興行、営業支援、病院、薬局、運送、散髪屋、自治会、老人会等に広く適用可能である。
【００２３】
管理サーバ２０は、ワークステーション等の情報処理装置である。管理サーバ２０は、図３に示すように、中央制御部２１と、通信部２２と、位置確認部２３と、発信枠管理部２４と、サイト管理部２５と、料金算出部２６と、記憶部２７とを備える。
中央制御部２１は、管理サーバ全体の処理動作を司る機能を有している。
通信部２２は、携帯電話機１０からの発信情報を受け付けたり、携帯電話機３０へ情報を配信するための通信を電話網やインターネット等のネットワークを介して行なう機能を有している。なお、配信方法は、ＳＭＳ、ＯｎｅＳＥＧ、ＳＴＢ、電子メール等種々のものが含まれる。
位置確認部２３は、携帯電話機３０の位置を確認する機能を有している。すなわち、予め基地局４０の存在位置・カバーエリア等を把握しておいて、携帯電話機３０が所定の基地局４０がカバーするエリアに存在する場合には、少なくとも当該エリアに携帯電話機３０が存在すると推定する。
発信枠管理部２４は、時間帯ごとの発信枠の空き状況や購入者を決定・管理する機能を有している。
以下、情報の発信側が利用する通信装置としての携帯電話機１０の利用者が、事前に携帯電話機１０等から発信枠を購入する場合について説明する。なお、必ずしも事前に発信枠を購入しなければならないわけではない。具体的な発信枠の割り付けの例を図４に示す。発信枠は何枠、または何本などで購入可能であってよい。図４を参照すると、午後４時〜午後５時までの枠は４本あり、そのうち２本はパン屋によって購入されている。また、魚屋は、午後４時〜午後５時と午後５時〜午後６時の２枠を購入している。
発信枠は人気の時間帯ごとに異なる料金設定とされていてもよく、またその料金はオークション等の形式で決定されることであってもよい。購入者のみが当該発信枠から情報を発信することを許諾される。
事前に発信枠を購入した購入者に対して与信をとることで情報の正確性・安全性を確保することであってもよい。すなわち虚偽の情報を流す可能性を低減させることができる。
また、事前に発信枠を購入した購入者が教育機関や役所などの公的機関等であった場合にはその構成員へも発信の許諾がなされてもよい。
サイト管理部２５は、携帯電話機１０から受信した入稿用データのうちスタイルシート部分にＵＲＬを付与して管理するとともに、そのＵＲＬへのリンクが張られたメッセージを電子メール形式で作成する。
料金算出部２６は、発信コストパラメータとして少なくとも、配信データ量および配信時刻に基づいてシステムの利用料金を算出する機能を有している。配信データ量は、コンテンツ自体のデータ量と繰り返し配信した場合の回数に基づく。配信時刻は、人気の時間帯ごとに異なる料金設定とすること等があるからである。
記憶部２７は、各種のデータを記憶する機能を有している。種々のテーブルを含んでいてもよい。
【００２４】
携帯電話機３０は、情報の受け手側が利用する通信装置である。既知の携帯電話機の構成を備え、少なくとも、表示部および通信部を備えている。
なお、携帯電話機に限定されず、情報を受信可能な情報処理装置を広く含む。
具体的には、情報発信側の携帯電話機と相性が良い受信装置である、ＴＶ受信端末が挙げられる。ＴＶ受信端末は、映像に少ない文字情報が付加されたデータを表示可能であり、情報発信側の携帯電話機において加工されるデータが映像に少ない文字情報が付加されたものであるためデータの取り扱いの面から相性が良い。これによりリアルタイムでの配信可能性が高められる。
【００２５】
基地局４０は、自装置がカバーするエリアに存在する携帯電話機３０に通信を可能とする基地局である。自装置がカバーするエリアに存在する携帯電話機３０の情報を管理サーバ２０からのリクエストに応じて送信する機能を有している。
【００２６】
次に、本実施の形態の動作を図面を参照して詳細に説明する。
ここでは、午後５時に閉店する魚屋において、午後４時半に販売している鮮魚が売れ残りそうなときに、店主が即座に携帯電話機で鮮魚の写真を撮影して、その画像データに値下げの旨の文字データを付加して配信する場合を想定する。
図５を参照すると、まず、事前の準備段階として、携帯電話機１０の入力部１２は、情報の発信側が利用する通信装置としての携帯電話機１０の利用者である魚屋の店主の事前の操作を受け付け、携帯電話機１０の中央制御部１１は通信部１５を介して、午後４時〜午後５時までの発信枠の購入申込み要求を管理サーバ２０に対して発行する（Ｓ１００１）。これは、発信枠の購入申込みのための所定のＷｅｂサイトに接続することでなされてもよい。
時間帯ごとに異なる料金設定とされていてもよく、さらに、情報発信数が多くなれば、発信制限・選別を行うべく該当時間帯の枠についてオークション等の形式でより高い料金設定へと変遷することであってもよい。なお、携帯電話機１０からではなく、自宅に設置されているＰＣ等から携帯電話機１０についての申込み手続きをすることであってもよい。
【００２７】
管理サーバ２０の発信枠管理部２４は、午後４時〜午後５時までの時間帯の発信枠が空いているか否かを調べ、空いている場合には、携帯電話機１０を当該発信枠の購入者として決定し、記憶部２７の所定のテーブルに携帯電話機１０の電話番号にＩＤを付して記憶する（Ｓ１００２）。そして携帯電話機１０に購入者として決定された旨が通知される。
発信枠は何枠、または何本などで購入可能であってよい。なお、事前に発信枠を購入していなくても、午後４時半に魚屋の店主が、情報の配信を希望した場合に、その時間帯の発信枠が空いていれば当該発信枠から情報を発信することが許諾されてもよい。
【００２８】
次に、実際の情報配信段階として、携帯電話機１０の入力部１２は、店主の操作により作成された入稿用データの入力を受け付ける（Ｓ１００３）。すなわち、午後４時半に販売している鮮魚が売れ残りそうなときに、店主は即座に携帯電話機１０で鮮魚の写真を撮影して、さらに値下げの旨の文章と情報配信対象のエリア情報および指定配信時刻情報が付加された入稿用データを作成する。これは、入稿用データ作成のためのスタイルシートを所定のＷｅｂサイトに接続することで事前にあるいは入稿用データ作成時に携帯電話機１０に持ってくることで、そのスタイルシートを利用してなされる。所定のＷｅｂサイトは、管理サーバ２０のサイト管理部２５で実現されることであってもよい。
携帯電話機１０に対する操作は、具体的には、撮像機能で写真を撮影して文字はキー等から数行入力する。その際の表示部１３による表示画面の一例を図６に示す。図６を参照すると、撮影された寒ブリの画像データに「寒ブリ５０円」のタイムサービス情報が付加され、情報配信対象のエリア情報として「一丁目付近」が指定されている。なお、「町の魚屋“魚八”」は初回以降はデフォルトで表示されてもよい。
また、入稿用データの指定配信時刻情報は、店主が指定することができる。配信時刻指定には"即時"もあり、特段の指定配信時刻情報の指定がなければ、デフォルトで"即時"指定が設定されることであってよい。"即時"指定の場合、入稿用データの送信時にその送信時刻情報が指定配信時刻情報として入稿用データに含められる。
ここでの動作説明においては情報の受け手も携帯電話機等により情報を表示するのでエディタは不要となるとともに受け手側に表示される画面のプレビューを正確に把握することができる。これによりリアルタイムでの配信可能性が高められる。
なお、動画や音声データが付加されても良い。
【００２９】
携帯電話機１０の中央制御部１１は通信部１５を介して、入稿用データを管理サーバ２０に送信する（Ｓ１００４）。
【００３０】
管理サーバ２０の通信部２２は、上記のステップＳ１００４で携帯電話機１０が送信した入稿用データを受信し、記憶部２７の所定のテーブルを検索し、携帯電話機１０が午後４時〜午後５時までの時間帯の発信枠の購入者であるか確認する（Ｓ１００５）。
【００３１】
上記のステップＳ１００５で購入者である場合、管理サーバ２０の位置確認部２３は、入稿用データのエリア情報および予め把握している基地局４０の存在位置・カバーエリアに基づいて、所定の基地局４０がカバーするエリアに存在する携帯電話機３０を捕捉する（Ｓ１００６）。なお、入稿用データのエリア情報に該当するエリアに存在する携帯電話機３０を捕捉するために、基地局４０を用いることなく携帯電話機３０のＧＰＳ機能による位置情報を利用することであってもよい。
ここで、入稿用データのエリア情報にかかる配信エリアは、入力操作やGPS機能等により取得した店主の携帯電話機１０の存在場所と、基地局４０の地理データによって基地局集合（配信エリア）が計算されたり、また店主の指定する所定の配信場所と基地局の地理データによって基地局集合（配信エリア）が計算されたりしてもよい。
なお、配信エリアは、店主が発信枠の購入時にあるいは入稿用データ作成時に指定することができてよい。
【００３２】
管理サーバ２０のサイト管理部２５は、受信した入稿用データのうちスタイルシート部分にＵＲＬを付与して管理するとともに、そのＵＲＬへのリンクが張られたメッセージを電子メール形式で作成する。また、サイト管理部２５は、記憶部２７の所定のテーブルに記憶されている携帯電話機１０の電話番号、入稿用データのエリア情報および指定配信時刻情報に基づいて、広告公開ページに相当する詳細画面に表示されるコンテンツを作成する（Ｓ１００７）。なお、サイト管理部２５等により、入稿用データのうちスタイルシート部分を配信に最適な形態に最適化する処理がなされてもよい。例えば、縦横変換や、携帯電話機用のＭＰＥＧ４からＴＶ用のＭＰＥＧ２への変換である。
【００３３】
管理サーバ２０の通信部２２は、電子メール形式で作成されたメッセージを上記のステップＳ１００６で捕捉した携帯電話機３０に配信するとともに配信データ量および配信時刻を記憶部２７の所定のテーブルに格納する（Ｓ１００８）。その際、配信対象の携帯電話機３０をユーザ属性によりさらに絞り込んでも良い。ユーザ属性には、性別、年齢、購買履歴等がある。例えば、女性の３０代以上のユーザが魚の購買意欲が高いと想定し、そのような属性に限定し、効率的な配信を実現してもよい。
また、所定の時間帯で繰り返し配信する制御がなされてもよい。
【００３４】
携帯電話機３０は、通信部を介して電子メール形式で作成されたメッセージを受信し、表示部により上記のステップＳ１００８で配信された情報がある旨の表示を行う（Ｓ１００９）。
受信時の画面表示の一例を図７に示す。受信メッセージのヘッダのリストを表示し、そのヘッダはスクロール可能であってもよい。また、大量に次々と受信しているときには、図７では破線で囲って示す、Ｔｉｃｋｅｒにより所定数の最新受信メッセージのヘッダが循環表示されても良い。
【００３５】
次に、携帯電話機３０は、受信時の画面表示から、ヘッダ部分や所定のボタン等の選択・押下等の操作に応じて、リンクが張られたＵＲＬから管理サーバ２０のサイト管理部２５が管理する、広告公開ページに相当する詳細画面に表示されるコンテンツを取得し、詳細画面へ遷移させる（Ｓ１０１０）。その詳細画面表示の一例を図８に示す。入稿用スタイルシートに編集されたとおりの鮮魚の写真と値下げの旨の文章が広告コンテンツとして表示され、併せて、携帯電話機１０の電話番号情報、入稿用データのエリア情報に基づいた地図情報、入稿用データの指定配信時刻情報に基づいた指定配信時刻情報を選択・押下等の操作に応じて表すためのボタンが表示される。例えば、地図情報は、入稿用データのエリア情報と地図アプリケーションを組み合わせることで魚屋まで到着するための地図として表示される。
なお、管理サーバ２０のサイト管理部２５により、入稿用スタイルシートに相当する表示部分の選択・押下等の操作に応じて既存の魚屋のＷｅｂサイト等に接続され、該当するコンテンツが表示されるように管理されていることであってもよい。
また、受信が頻繁でない場合等には受信時の画面表示としてダイレクトにこの詳細画面が表示されることであってもよい。
さらに、管理サーバ２０のサイト管理部２５により、受信時の画面表示あるいは詳細画面表示の一部に広告のためのバナーが付加されることであってもよい。
【００３６】
なお、携帯電話機に限定されず、情報発信側の携帯電話機と相性が良い受信装置であってよい。
【００３７】
管理サーバ２０の料金算出部２６は、発信コストパラメータとして、例えば、記憶部２７の所定のテーブルに格納されている配信データ量および配信時刻に基づいてシステムの利用料金を算出する（Ｓ１０１１）。配信データ量は、コンテンツ自体のデータ量と繰り返し配信した場合の回数に基づく。配信時刻は、時間帯ごとに設定されている料金テーブルと付き合わされる。そして、配信データ量と配信時刻の時間帯の料金を乗算等することで利用料金が算出される。
【００３８】
上記の本実施の形態によれば、魚屋の店主でも、店先で簡易に、売れ残りが発生しそうになったその時点で、魚屋の付近にいる人の携帯電話機に、魚の値引きサービス販売中という有益な情報をリアルタイムで配信することができる。その結果、魚屋への愛着がわいたり、顧客ロイヤリティの向上が図られたりもする。
【００３９】
以下、本発明の第二の実施の形態について図面を参照して詳細に説明する。上記の第一の実施の形態とは、携帯電話機１０がＧＰＳ機能を備えている点が異なる。その他の基本的な構成は同様であり、重複する説明は省略する。
【００４０】
次に、本実施の形態の動作を説明する。上記の第一の実施の形態と異なる処理のみ説明する。
ここでは、休日である土曜日にゴミ回収車がどの辺りを走っているか、あとどれくらいの時間で自分のゴミ収集所に到着するのかを知りたい場合を想定する。生ゴミ等でゴミを出した直後に回収して欲しいことがある。携帯電話機１０は、ゴミ回収車の作業員が保持し、携帯電話機３０は、ゴミを出したい者が保持している。
【００４１】
上記の第一の実施の形態における、ステップＳ１００４で、携帯電話機１０が、入稿用データを管理サーバ２０に送信する際に、携帯電話機１０のＧＰＳ機能により送信時の自機の位置情報を取得し、入稿用データに付加して管理サーバ２０に送信する。すなわち、ゴミ回収車の作業員が所定のゴミ収集所からゴミを回収する都度、情報を発信する。
【００４２】
また、上記の第一の実施の形態における、ステップＳ１００７で、サイト管理部２５が、広告公開ページに相当する詳細画面に表示されるコンテンツを作成する際に、入稿用データの携帯電話機１０の位置情報に基づいて、詳細画面に表示されるコンテンツを作成する。すなわち、詳細画面表示の一例である図９に示すような位置情報も表示されるものとする。
また、例えば、地図情報にも、入稿用データのエリア情報と、入稿用データの携帯電話機１０の位置情報と、地図アプリケーションを組み合わせることで、ゴミ回収車が何時何分にどの辺りを走っていたかを地図上に示すことであってもよい。これにより、ゴミを出したい者はあとどれくらいの時間でゴミ回収車が自分のゴミ収集所まで到着するかを推定することができる。
【００４３】
なお、本実施の形態におけるＧＰＳ機能の代替として、携帯電話機１０が、入稿用データを管理サーバ２０に送信する際に、ゴミ回収車の作業員の手入力操作に応じて携帯電話機１０が送信時の自機の位置情報を取得することであってもよい。
【００４４】
以下、本発明の第三の実施の形態について説明する。上記の第一の実施の形態および第二の実施の形態とは、管理サーバ２０から携帯電話機３０に対して、配信するだけでなく、携帯電話機３０から管理サーバ２０にアクセスして情報を取得する点が異なる。その他の基本的な構成は同様であり、重複する説明は省略する。
【００４５】
本実施の形態では、上記の第一の実施の形態および第二の実施の形態において、携帯電話機１０から送信されたデータに基づいて管理サーバ２０のサイト管理部２５が管理する、広告公開ページに相当する詳細画面に表示されるコンテンツを、所定の配信エリアに存在する携帯電話機３０が管理サーバ２０にアクセスして取得する。すなわち、携帯電話機３０の利用者が管理サーバ２０の配下のＷｅｂ上の配信データを自発的に取得する。
【００４６】
管理サーバ２０のサイト管理部２５が管理するコンテンツである配信用データは、目標とする配信エリア情報で、分類管理されており、受信者端末である携帯電話機３０から情報を取りに来たときには、管理サーバ２０は、携帯電話機３０が、其の時点で位置する、ないし、何らかの入力により携帯電話機３０自身が存在する場所をキーにしてその場所と配信エリア情報がマッチする、WEB上の配信用データへのアクセスを誘導する。なお、配信エリア情報として上記の第一の実施の形態における入稿用データのエリア情報のようなものが用いられてよい。また、配信用データは、例えば、広告公開ページに相当する詳細画面に表示されるコンテンツ等であってよい。
【００４７】
以下、本発明の第四の実施の形態について図面を参照して詳細に説明する。図１０に示す本実施の形態における情報配信システム１は、情報の発信側が利用する通信装置としての携帯電話機１１０と、情報の受け手側が利用する通信装置としての携帯電話機１３０とから構成されている。
上記の第一の実施の形態とは、管理サーバおよび基地局を含まない点が異なる。その他の基本的な構成は同様であり、重複する説明は省略する。
【００４８】
携帯電話機１１０および携帯電話機１３０は、例えば、既知の赤外線通信等の手段により、管理サーバ等を介することなく、近距離での直接データの送受信を行なう機能を有している。これにより、上記の第一の実施の形態で管理サーバおよび基地局を利用して実現している、情報発信側からみて所定のエリア内に存在する受信装置への情報配信を、管理サーバおよび基地局なしで実現している。なお、利用料金の算出等は上記の第一の実施の形態における管理サーバに相当する別の装置により管理されることであってもよい。
【００４９】
なお、上述する各実施の形態は、本発明の好適な実施の形態であり、本発明の要旨を逸脱しない範囲内において種々変更実施が可能である。例えば、携帯電話機１０、管理サーバ、携帯電話機３０等の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、各装置の機能が他の装置によりまとめて実現されたり、追加の装置により機能が分散されて実現される形態も本発明の範囲内である。
【符号の説明】
【００５０】
１０    携帯電話機
２０    Ｗｅｂサーバ
３０    管理サーバ
４０    基地局
【図１】
2010186245.tif 000003
【図２】
2010186245.tif 000004
【図３】
2010186245.tif 000005
【図４】
2010186245.tif 000006
【図５】
2010186245.tif 000007
【図６】
2010186245.tif 000008
【図７】
2010186245.tif 000009
【図８】
2010186245.tif 000010
【図９】
2010186245.tif 000011
【図１０】
2010186245.tif 000012